【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
電池パック（４０）を上下移動して着脱可能に装着できるようにした充電式電動工具（３０）において、前記充電式電動工具（３０）の底面の凹部（３００）内の１対の給電端子（３１）にそれぞれ当接する１対の当接片（１０）と、前記各当接片（１０）と電気接続する電気コード（５０）であって外部に延長するものとを設けて、前記充電式電動工具（３０）の前記凹部（３００）に着脱可能に嵌入できるようにした電動工具用アタッチメント（Ａ１）と、前記電池パック（４０）の給電凸部（４１）の１対の給電端子（４１１）にそれぞれ当接する１対の当接片（２０）と、前記各当接片（２０）と電気接続する前記電気コード（５０）であって外部に延長するものとを設けて、前記電池パック（４０）の前記給電凸部（４１）に着脱可能に外嵌できるようにした電池パック用アタッチメント（Ｂ１）とを備え、前記充電式電動工具（３０）を作動させるとき、前記電池パック（４０）を前記充電式電動工具（３０）に装着することなく、携行袋（７０）に収納、又は、作業現場に載置できるようにした前記電池パック（４０）の前記給電凸部（４１）に外嵌した前記アタッチメント（Ｂ１）から前記電気コード（５０）を介して前記アタッチメント（Ａ１）を前記充電式電動工具（３０）の前記凹部（３００）に嵌入し、前記充電式電動工具（３０）を作動できるようにしたことを特徴とする充電式電動工具の電気接続装置。
【手続補正２】
【補正対象書類名】明細書
【補正対象項目名】全文
【補正方法】変更
【補正の内容】
【発明の詳細な説明】
【発明の名称】充電式電動工具の電気接続装置
【技術分野】
【０００１】
本発明は、電池パックを着脱可能に装着した充電式電動工具において、充電式電動工具と電池パックとを分離して使用できる充電式電動工具の電気接続装置に関する。
【背景技術】
【０００２】
従来、充電式電動工具は、３６ボルト、２４ボルト、１８ボルト、１２ボルト等のニカド電池、ニッケル水素電池等の電池パックを着脱可能に装着してコードレスで、穴あけ、ねじ締め、切断その他の諸作業ができる利点があるが、反面、強力な電池を搭載するので、重量が重く、特に工事用工具では女性や老齢者の作業負担が大きい欠点があった。
そこで、本発明者は、電池重量が大きく、腕力負担が大きいにも拘わらず、精密作業や天井作業や狭隘場所などの作業などが必要な場合には、一時的に電池パックを電動工具より分離して電池パックのみを携行袋に収納、又は、作業現場に載置して電池パックからコードを介して軽量になった電動工具により諸作業ができるようにし、上記問題点を解決することに成功した。
【特許文献１】特開２００６−３５１４７６号
【発明の開示】
【発明が解決しようとする課題】
【０００３】
本発明は、重量の大きい電池パックを充電式電動工具本体から分離して使用できるようにした充電式電動工具の電気接続装置を提供するものである。
また、本発明は、女性や老齢者が充電式電動工具を使用する作業の体力的負担を大巾に軽減できるようにした充電式電動工具の電気接続装置を提供するものである。
さらに、本発明は、小型軽量で製作費安く簡単に使用できるようにした充電式電動工具の電気接続装置を提供するものである。
【課題を解決するための手段】
【０００４】
本発明充電式電動工具の電気接続装置の請求項１の発明は、上記課題を達成するため、図示するように、電池パック（４０）を上下移動して着脱可能に装着できるようにした充電式電動工具（３０）において、前記充電式電動工具（３０）の底面の凹部（３００）内の１対の給電端子（３１）にそれぞれ当接する１対の当接片（１０）と、前記各当接片（１０）と電気接続する電気コード（５０）であって外部に延長するものとを設けて、前記充電式電動工具（３０）の前記凹部（３００）に着脱可能に嵌入できるようにした電動工具用アタッチメント（Ａ１）と、前記電池パック（４０）の給電凸部（４１）の１対の給電端子（４１１）にそれぞれ当接する１対の当接片（２０）と、前記各当接片（２０）と電気接続する前記電気コード（５０）であって外部に延長するものとを設けて、前記電池パック（４０）の前記給電凸部（４１）に着脱可能に外嵌できるようにした電池パック用アタッチメント（Ｂ１）とを備え、前記充電式電動工具（３０）を作動させるとき、前記電池パック（４０）を前記充電式電動工具（３０）に装着することなく、携行袋（７０）に収納、又は、作業現場に載置できるようにした前記電池パック（４０）の前記給電凸部（４１）に外嵌した前記アタッチメント（Ｂ１）から前記電気コード（５０）を介して前記アタッチメント（Ａ１）を前記充電式電動工具（３０）の前記凹部（３００）に嵌入し、前記充電式電動工具（３０）を作動できるようにした充電式電動工具の電気接続装置である。
【発明の効果】
【０００５】
本発明品は、充電式電動工具から電池パックを分離して電池パックを、腰バンドや肩かけできるようにした携行袋に収納又は作業現場に載置して、電池パックと電動工具とを１対のアタッチメントと電気コードで連結するだけで、重量を大幅に軽減した電動工具として使用できるので、特に精密作業、天井工事、狭隘場所での作業などの場合に操作しやすい上に、女性作業員や老齢作業員の作業負担を大きく軽減できる強味がある。また、本発明品は取扱簡単で、軽量、小型、安価につく利点がある。
【発明を実施するための最良の形態】
【０００６】
本発明実施例に発明を実施するための最良の形態を記載した。
【実施例】
【０００７】
本発明装置の実施例が、図１−１乃至図４に示されている。
本発明実施例の充電式電動工具の電気接続装置は、電動工具用アタッチメントＡ１と電池パック用アタッチメントＢ１とからなっている。
電動工具用アタッチメントＡ１は、充電式電動工具本体３０の底面の凹部３００に着脱可能に嵌入して装着する棒状のもので、凹部３００の形状に合わせて嵌入できるようにした挿入部１０１と凹部３００から突出して手で握ることができるようにした把手部１０２とからなり、凹部３００内の１対の給電端子３１にそれぞれ当接する１対の当接片１０と、各当接片１０と電気接続する電気コード５０であって外部に延長されるものとが設けられている。
アタッチメントＡ１の本体Ａ１１は、棒状の電気絶縁物であるゴム、合成樹脂からなり、やや弾性があり押圧嵌入されるものが好ましい。
電池パック用アタッチメントＢ１は、電池パック４０の給電凸部４１の形状に合わせて嵌入できるようにした凹部２０１を設けて、凹部２０１に電池パック４０の１対の給電端子４１１にそれぞれ当接される１対の当接片２０と、各当接片２０と電気接続する電気コード５０であって外部に延長されるものとが設けられている。１対の当接片２０は、図２−２に示すように弾性金属板が好ましい。
アタッチメントＢ１の本体Ｂ１１は、凹状の電気絶縁物であるゴム、合成樹脂からなり、やや弾性があり押圧外嵌されるものが好ましい。
なお、電気コード５０はアタッチメントＡ１に結線されると共に、アタッチメントＢ１に結線されるものである。
携行袋７０は、ベルト８０のベルト通し部７１と電池パック４０の収納部７２を備えている。収納部７２は電池パック４０を収納してスナップ７２２で開閉する開閉片７２１と、収納した電池パック４０の給電凸部４１に外嵌できるようにしたアタッチメントＢ１の電気コード５０を開閉片７２１を横切って引き出せるようにしたファスナー７２３を設けているものが好ましい。
アタッチメントＡ１とアタッチメントＢ１とにそれぞれ結合されている電線コード５０は、電動工具３０を使用しないときは、電動工具３０の凹部３００と電池パック４０の給電凸部４１からはずされて携行袋７０に収納して携行される。
電動工具３０を使用するときは、携行袋７０に収納したまま、又は、作業現場近くに電池パック４０を載置するかして、電池パック４０の給電凸部４１にアタッチメントＢ１を嵌合し、携行袋７０から電源コード５０を介してアタッチメントＡ１を電動工具３０の凹部３００に嵌入すれば、電動工具３０は電池パック４０を分離したまま使用できることになる。
【産業上の利用可能性】
【０００８】
本発明品は、小型、軽量、安価で量産できる。
【図面の簡単な説明】
【０００９】
【図１−１】本発明実施例のアタッチメントＡ１の正面図である。
【図１−２】図１−１の平面図である。
【図１−３】図１−２のＡ−Ａ線断面図である。
【図１−４】図１−１の斜視図である。
【図２−１】本発明実施例のアタッチメントＢ１の平面図である。
【図２−２】図２−１のＢ−Ｂ線断面図である。
【図２−３】図２−１の斜視図である。
【図３】本発明実施例の携行袋の説明図である。
【図４】本発明実施例の使用時の説明図である。
【符号の説明】
【００１０】
Ａ１          電動工具用アタッチメント
１０          電動工具用アタッチメントの当接片
Ｂ１          電池パック用アタッチメント
２０          電池パック用アタッチメントの当接片
３０          充電式電動工具
３００        充電式電動工具の底面の凹部
３１          充電式電動工具の給電端子
４０          電池パック
４１          電池パックの給電凸部
４１１        電池パックの給電端子
５０ 電気コード 
７０  携行袋
【手続補正３】
【補正対象書類名】図面
【補正対象項目名】図１−１
【補正方法】変更
【補正の内容】
【図１−１】
2009039841.tif 000001
【手続補正４】
【補正対象書類名】図面
【補正対象項目名】図１−２
【補正方法】変更
【補正の内容】
【図１−２】
2009039841.tif 000002
【手続補正５】
【補正対象書類名】図面
【補正対象項目名】図１−３
【補正方法】追加
【補正の内容】
【図１−３】
2009039841.tif 000003
【手続補正６】
【補正対象書類名】図面
【補正対象項目名】図１−４
【補正方法】追加
【補正の内容】
【図１−４】
2009039841.tif 000004
【手続補正７】
【補正対象書類名】図面
【補正対象項目名】図２−１
【補正方法】変更
【補正の内容】
【図２−１】
2009039841.tif 000005
【手続補正８】
【補正対象書類名】図面
【補正対象項目名】図２−２
【補正方法】変更
【補正の内容】
【図２−２】
2009039841.tif 000006
【手続補正９】
【補正対象書類名】図面
【補正対象項目名】図２−３
【補正方法】追加
【補正の内容】
【図２−３】
2009039841.tif 000007
【手続補正１０】
【補正対象書類名】図面
【補正対象項目名】図４
【補正方法】変更
【補正の内容】
【図４】
2009039841.tif 000008